(57)【要約】      （修正有）【課題】ファンモジュールの渦流面積を減少させる環形ユニットを提供する。【解決手段】ファンモジュール１１及び環形ユニット１２からなり、ファンモジュールは、ファンローター１１１とモーターステータユニット１１２を備え、ファンローターは、モーターステータユニット上に枢接され、且つ、モーターステータユニットは導流構造を備え、導流構造は複数の導流ブレード１１２ａからなる。環形ユニットは、嵌入槽１２１を開設して、導流フレード上に嵌設され、前記環形ユニットにより、前記ファンローターが回転する時、電子素子の存在により反対圧力が導流ブレード下で形成する渦流面積を減少させ、且つ、前記環形ユニットは、前記導流ブレード上に嵌設されて、導流ブレードに、新たに金型を製造する必要がなく、組み立てが容易で、低コストである。【選択図】図１
0003103806.tif 000002
【実用新案登録請求の範囲】
【請求項１】
ファンモジュールの渦流面積を減少させる環形ユニットであって、
ファンローター及びモーターステータユニットからなり、前記ファンローターは、前記モーターステータユニット上に枢接され、且つ、前記モーターステータユニットは導流構造を備え、前記導流構造は複数の導流ブレードからなるファンモジュールと、
前記導流構造の導流ブレード上に嵌設される環形ユニットと、
からなり、前記環形ユニット上に嵌入槽を開設して、前記導流ブレードに嵌設され、前記環形ユニットにより、前記ファンローターが回転する時、気流が電子素子の存在により、反対圧力が導流ブレード下で形成する渦流面積を減少させ、前記ファンローターが前記電子素子に吹く速度と風量を増加させ、且つ、前記環形ユニットは、前記導流ブレード上に嵌設されて、組み立てが容易で、低コストであることを特徴とする環形ユニット。
【請求項２】
前記環形ユニット上端に、傾斜部を開設し、気流の速度と風向きの引導を増進することを特徴とする請求項１に記載の環形ユニット。  
【考案の詳細な説明】
【技術分野】
【０００１】
本考案は、ファンモジュールの渦流面積を減少させる環形ユニットに関するものである。
【背景技術】
【０００２】
一般の電子素子の起動時、極大な熱量が生じ、この熱量が効果的に排出されない場合、電子素子上に金属の散熱器と散熱ファンを取り付けて、熱量を排除する。台湾特許５２３６５２で開示される「組み合わせ式ファン及びそれが使用するファンフレーム構造」において、第一フレーム、第一導流部を備え、前記第一導流部は、第一フレームに配置され、前記第一導流部は複数の静的ブレードら構成されると共に、径方向に配列され、少なくとも一つの散熱装置が運転する時、複数の静的ブレードは、少なくとも一つの散熱装置が生成する気流の風量と風圧を増加させる。該発明において、導流部の静的ブレード下は、電子素子の存在で、反対圧力の気流と散熱ファンの下方向の風量は相殺し、散熱ファンの散熱効率に影響を与える。
本考案のファンモジュールの導流構造が加設する環形ユニットは、環形ユニットが反対圧力の気流を分散させるため、効果的に、ファンローターの下方向の気流と反対圧力の気流が相殺するのを減少させ、ファンローターが電子素子に吹く速度と流量を増加させて、電子素子の熱量を排除するのを加速して、電子素子の正常な起動を維持する。本考案は単独で金型製造し、ファンモジュール上に嵌設するので、公知のファンモジュールに新たに金型を製造する必要がなく、散熱の効果を増進し、故に、本考案は組み立てが容易で、低コストが達成される。
【特許文献１】特開平05-332293
【考案の開示】
【考案が解決しようとする課題】
【０００３】
本考案は、公知技術の欠点を改善するため、ファンモジュールの渦流面積を減少させる環形ユニットを提供することを目的とする。
【課題を解決するための手段】
【０００４】
本考案は、低コストで組み立てが容易なファンモジュールの環形ユニットを提供する。
本考案は、ファンローターの下方向の風量を増加させるファンモジュールの環形ユニットを提供する。
【考案の効果】
【０００５】
ファンモジュールの渦流面積を減少させる環形ユニットが提供される。
【考案を実施するための最良の形態】
【０００６】
本考案は、ファンモジュールの渦流面積を減少させる環形ユニットを提供し、図１〜図３は、本考案の好ましい実施例を示す。図で示されるように、ファンモジュール１１及び環形ユニット１２からなる。ファンモジュール１１は、ファンローター１１１及びモーターステータユニット１１２からなり、モーターステータユニット１１２に設けられたハブ１１２ｂ上に、導流構造を有する。導流構造は複数の導流ブレード１１２ａから構成される。環形ユニット１２上に、導流ブレード１１２ａに対応して、嵌入槽１２１が設けられ、環形ユニット１２上に傾斜部１２２を備える。
図２及び図３で示されるように、ファンローター１１１は、モーターステータユニット１１２に枢接されると共に、環形ユニット１２の嵌入槽１２１は、導流ブレード１１２ａ上に嵌設され、環形ユニット１２及びハブ１１２ｂ間に、環形空間１２３を形成している。
ファンローター１１１が運転する時、それが生成する気流は、電子素子１３に向かって吹くが、電子素子１３の存在により、導流ブレード１１２ａ下に反対圧力の気流が形成され、この反対圧力の気流が環形ユニット１２に戻る時、環形ユニット１２により分散し、導流ブレード１１２ａ下に形成される渦流面積を減少させると共に、一部分の反対圧力の気流を環形空間１２３に進入させ、環形ユニット１２上端に開設された傾斜部１２２は、ファンローター１１１の下方向の気流に、環形空間１２３内の反対圧力の気流を回避させて、ファンローター１１１の下方向の気流速度を加速し、ファンモジュール１１全体の散熱効果を向上させる。
環形ユニット１２の嵌入槽１２１は、導流ブレード１１２ａ上に嵌設され、且つ、環形ユニット１２は単独一体成形され、モーターステータ１１２に、新たに金型を製造する必要がなく、散熱の効果を増進し、故に、本考案は組み立てが容易で、低コストが達成される。
【０００７】
図４及び図５を参照すると、それぞれ、公知の導流構造を有するファンモジュール２１と本考案を気流実験に応用する時の気流を示す。図４で示されるように、ファンモジュール２１上にファンローター２１１を設置すると共に、導流ブレード２２を有する導流構造と枢接され、図中の、導流ブレード１１２ａと導流ブレード２２下方の気流状況から、本考案の導流ブレード１１２ａ上に加設された環形ユニット１２は、反対圧力の気流を分散して、導流ブレード１１２ａ下の渦流面積を減少させ、また、環形ユニット１２上端に開設された傾斜部１２２は、ファンローター１１１の下方向の気流速度を加速し、故に、環形ユニット１２は、効果的に、ファンローターの下方向の気流と反対圧力の気流が相殺するのを減少させ、ファンローター１１１が電子素子１２に吹く気流量と速度を増加して、電子素子１３の熱量を速やかに排除して、電子素子１３の正常な起動を維持する。
【０００８】
図６を参照すると、本考案と公知の風圧と気流の実験曲線が示され、縦軸は風圧（air  pressure）、即ち、反対圧力の気流が生成する気流圧力で、その単位は、水柱mmAq、横軸は気流（air  flow）、即ち、ファンローターが運転して生じる気流で、その単位は立方フィート／分（cubic foot per minute、CFM）、実験曲線３１は本考案の、実験曲線３２は公知のものである。実験曲線図中、高気流量区、即ち、気流が１２CFM後の領域で、相同の風圧下で、本考案と公知の運転が生じる気流は、１４％以上増加する。本考案の環形ユニット１２は、反対圧力の気流が形成する渦流面積を減少させ、公知のように、反対圧力気流が形成する渦流が流道を遮り、ファンローター１１１の下方向の気流が相殺されて気流量に影響するのを防止し、効果的に、公知のファンローター２１１の反対方向の風圧を改善するだけでなく、ファンローター１１１の下方向の気流の速度を加速する。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【０００９】
【図１】本考案の立体分解図である。
【図２】本考案の組み立て図である。
【図３】本考案の気流を示す図である。
【図４】本考案の気流実験図である。
【図５】本考案の気流実験図である。
【図６】本考案と公知の風圧と気流の実験曲線図である。
【符号の説明】
【００１０】
１１…ファンモジュール
１１１…ファンローター
１１２…モーターステータユニット
１１２ａ…導流ブレード
１１２ｂ…ハブ
１２…環形ユニット
１２１…嵌入槽
１２２…傾斜部
１２３…環形空間
１３…電子素子
２１…ファンモジュール
２１１…ファンローター
２２…導流ブレード
３１…実験曲線
３２…実験曲線
【図１】
0003103806.tif 000003
【図２】
0003103806.tif 000004
【図３】
0003103806.tif 000005
【図４】
0003103806.tif 000006
【図５】
0003103806.tif 000007
【図６】
0003103806.tif 000008